【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
走行方向に対して傾斜角で延在する複数の結合部材と、  前記走行方向に配向された複数の成形リングであって、各々が前記結合部材の少なくとも２つを取り囲む複数の成形リングと、  を具備する、オンマシン継ぎ合わせ可能な工業用ファブリック。
【請求項２】
走行方向に延在する複数の結合部材と、  紙幅方向に配向された複数の成形リングであって、各々が前記結合部材の少なくとも２つを取り囲む複数の成形リングと、  を具備し、 前記リングおよび前記結合部材は多孔性を有する、オンマシン継ぎ合わせ可能な工業用ファブリック。
【請求項３】
紙幅方向に延在する複数の結合部材と、  走行方向に配向された複数の成形リングであって、各々が前記結合部材の少なくとも２つを取り囲む複数の成形リングと、  を具備し、  前記リングおよび前記結合部材は多孔性を有する、オンマシン継ぎ合わせ可能な工業用ファブリック。
【請求項４】
前記結合部材は、ピントル、ヤーンおよびワイヤからなる群から選択される、請求項１、２または３に記載のオンマシン継ぎ合わせ可能な工業用ファブリック。
【請求項５】
ラミネートを形成するために１つまたはそれ以上のファブリック層を具備する、請求項１、２または３に記載のオンマシン継ぎ合わせ可能な工業用ファブリック。
【請求項６】
前記ファブリックに接着されたステープルファイバ材料の少なくとも１つの層をさらに具備する、請求項１、２または３に記載のオンマシン継ぎ合わせ可能な工業用ファブリック。
【請求項７】
前記ファブリックは、ポリマーコーティングが塗布される、請求項１、２または３に記載のオンマシン継ぎ合わせ可能な工業用ファブリック。
【請求項８】
前記コーティングは、ポリウレタンおよびポリアミドからなる群から選択される、請求項７に記載のオンマシン継ぎ合わせ可能な工業用ファブリック。
【請求項９】
前記コーティングは、全幅コーティング、ディップコーティングおよびスプレーイングからなる群から選択された方法を使用して加えられる、請求項７に記載のオンマシン継ぎ合わせ可能な工業用ファブリック。
【請求項１０】
前記ファブリックは、ポリマー樹脂が含浸される、請求項１、２または３に記載のオンマシン継ぎ合わせ可能な工業用ファブリック。
【請求項１１】
前記樹脂は、ポリウレタンおよびポリアミドからなる群から選択される、請求項１０に記載のオンマシン継ぎ合わせ可能な工業用ファブリック。
【請求項１２】
それぞれのリングは、円形、長円形、傾斜、長楕円形、四面体およびＤ字形からなる群から選択された形状を有する、請求項１、２または３に記載のオンマシン継ぎ合わせ可能な工業用ファブリック。
【請求項１３】
それぞれのリングは、金属から作られる、請求項１、２または３に記載のオンマシン継ぎ合わせ可能な工業用ファブリック。
【請求項１４】
それぞれのリングは、ポリアミド、ポリエステル、ポリウレタンおよびポリケトン樹脂からなる群から選択されたポリマー樹脂材料から作られる、請求項１、２または３に記載のオンマシン継ぎ合わせ可能な工業用ファブリック。
【請求項１５】
それぞれのリングは、モノフィラメント、諸撚の／撚られたフィラメント、または、組まれたフィラメントからなる群から選択された型である、請求項１、２または３に記載のオンマシン継ぎ合わせ可能な工業用ファブリック。
【請求項１６】
それぞれのリングは、ポリマー樹脂材料が塗布される、請求項１、２または３に記載のオンマシン継ぎ合わせ可能な工業用ファブリック。
【請求項１７】
それぞれのリングは、２つの端の一方で開口し、スナップおよびクランプからなる群から選択されたクロージャによって閉鎖可能である、請求項１、２または３に記載のオンマシン継ぎ合わせ可能な工業用ファブリック。
【請求項１８】
前記リングは、第１の端と第２の端とを有し、前記端の少なくとも一方に開口を備え、前記結合部材がそれを通ることを可能にし１つのリングを次のリングに結合するようにする、請求項１、２または３に記載のオンマシン継ぎ合わせ可能な工業用ファブリック。
【請求項１９】
前記リングは、前記第１および第２の端に開口を有する、請求項１８に記載のオンマシン継ぎ合わせ可能な工業用ファブリック。
【請求項２０】
オンマシン継ぎ合わせ可能な工業用ファブリックを製造する方法であって、 平らに織られた布を提供するステップであって、前記布は走行方向および紙幅方向のヤーンを有するステップと、  複数の多孔性または多孔性でないリングを提供するステップと、 前記複数のリングが紙幅方向にあるかまたは実質的に紙幅方向にあるように、前記布に前記複数のリングを取り付けるステップと、  を含む、方法。
【請求項２１】
オンマシン継ぎ合わせ可能な工業用ファブリックを製造するための方法であって、  複数の多孔性リングを提供するステップと、  前記リングに挿入されるべき複数の多孔性ピントルを提供するステップと、  それぞれのピントルを隣接するリング内に挿入するステップと、  前記リングを前記ピントルに沿って所定の距離だけ前方へ割送りするステップと、  を含む、方法。
【請求項２２】
オンマシン継ぎ合わせ可能な工業用ファブリックを製造する方法であって、 平らに織られた布を提供するステップであって、前記布は走行方向および紙幅方向のヤーンを有するステップと、  複数の多孔性または多孔性でないリングを提供するステップと、 前記複数のリングが走行方向にあるかまたは実質的に走行方向にあるように、前記布に前記複数のリングを取り付けるステップと、  を含む、方法。
【請求項２３】
オンマシン継ぎ合わせ可能な工業用ファブリックを製造する方法であって、 平らに織られた布を提供するステップであって、前記布は走行方向に対して傾斜角で延在する複数の多孔性結合部材を有するステップと、  複数の多孔性または多孔性でないリングを提供するステップと、 前記布に前記複数のリングを取り付けるステップと、  を含む、方法。
【請求項２４】
前記リングおよび前記結合部材は、多孔性である、請求項１に記載のオンマシン継ぎ合わせ可能な工業用ファブリック。
【手続補正２】
【補正対象書類名】明細書
【補正対象項目名】００１９
【補正方法】変更
【補正の内容】
【００１９】  特許文献１および特許文献２に開示されたリンクベルトは、紙幅方向ではなく、走行方向にのみ配向されたリングリンク要素を有する。さらに、ヒンジワイヤは、走行方向または対角線方向ではなく、紙幅方向に延在して示されるだけである。そのように限定された構成では、穿刺損傷に対するファブリック強度および抵抗は妥協されない。【特許文献１】ＰＣＴ／ＵＳ９８／０５９０８号
【特許文献２】米国特許第４，４６９，２２１号
【手続補正３】
【補正対象書類名】明細書
【補正対象項目名】００２６
【補正方法】変更
【補正の内容】
【００２６】  次に、具体的に図面に転じると、これは、ついでながら、縮尺通り引かれてはおらず、むしろ、本発明およびその構成要素を図で示すものであり、図１は、オンマシン継ぎ合わせ可能な工業用ファブリックの第１の実施形態の概略斜視図である。ファブリック２０は、ひとたびその２つの端が互いに結合されるとエンドレスループの形態を取る。
【手続補正４】
【補正対象書類名】明細書
【補正対象項目名】００２７
【補正方法】変更
【補正の内容】
【００２７】  そのような実施形態において、工業用ファブリック２０は、複数の成形リング２から構成される。リング２は、走行方向に配向され、たとえば、走行方向に対して傾斜角で、すなわち、対角線上に走行するヤーン（または、ピントルまたはワイヤ）３によって接続される。
【手続補正５】
【補正対象書類名】明細書
【補正対象項目名】００２８
【補正方法】変更
【補正の内容】
【００２８】  図２は、本発明の工業用ファブリック１０の代替の実施形態の概略斜視図である。この実施形態において、リング２は、紙幅方向に配向され、走行方向に延在するヤーン３によって接続される。